(57)【要約】【課題】従来よりも左右方向の屈曲を容易に行えるフラットケーブルを提供する。【解決手段】複数本のケーブル１０１を帯状に束ねてなるフラットケーブル１００，２００，３００であって、複数本のケーブル１０１の夫々は、長手方向と短手方向の両方に沿って断続的に固着されているフラットケーブル１００，２００，３００である。複数本のケーブル１０１の夫々は、長手方向に沿って等間隔に断続的に固着されていると共に短手方向に沿って数本飛ばしに断続的に固着されていることが望ましい。複数本のケーブル１０１の夫々は、部分的に短手方向に沿って全部のケーブル１０１が固着されていないことが望ましい。【選択図】図１
2018129250.tif 000002
【特許請求の範囲】
【請求項１】
複数本のケーブルを帯状に束ねてなるフラットケーブルであって、
複数本の前記ケーブルの夫々は、長手方向と短手方向の両方に沿って断続的に固着されている
ことを特徴とするフラットケーブル。
【請求項２】
複数本の前記ケーブルの夫々は、長手方向に沿って等間隔に断続的に固着されていると共に短手方向に沿って数本飛ばしに断続的に固着されている
請求項１に記載のフラットケーブル。
【請求項３】
複数本の前記ケーブルの夫々は、部分的に短手方向に沿って全部の前記ケーブルが固着されていない
請求項１又は２に記載のフラットケーブル。
【発明の詳細な説明】
【技術分野】
【０００１】
本発明は、複数本のケーブルを帯状に束ねてなるフラットケーブルに関する。
【背景技術】
【０００２】
図５に示す通り、従来のフラットケーブル４００は、複数本のケーブル４０１を帯状に束ねて形成されている。ケーブル４０１は、例えば、４本の対撚線４０２を撚り合わせてなる撚線４０３と、撚線４０３の外周に樹脂を被覆してなるシース４０４と、を有している。対撚線４０２は、例えば、２本の心線４０５を撚り合わせて形成されている。心線４０５は、例えば、複数本の素線を撚り合わせてなる導体４０６と、導体４０６の外周に樹脂を被覆してなる絶縁体４０７と、を有している。特に、複数本のケーブル４０１の夫々は、長手方向に沿って固着部４０８を介して連続的に固着されている（例えば、特許文献１を参照）。
【先行技術文献】
【特許文献】
【０００３】
【特許文献１】特許第５８５７９９３号公報
【特許文献２】特開平６−２５１６３８号公報
【発明の概要】
【発明が解決しようとする課題】
【０００４】
しかしながら、従来のフラットケーブル４００では、複数本のケーブル４０１の夫々が長手方向に沿って固着部４０８を介して連続的に一体的に固定されているため、上下方向（厚さ方向）の屈曲は容易であるものの、左右方向（幅方向）の屈曲は上下方向の屈曲と比較して必ずしも容易であるとは言えない。
【０００５】
そこで、本発明の目的は、従来よりも左右方向の屈曲を容易に行えるフラットケーブルを提供することにある。
【課題を解決するための手段】
【０００６】
本発明は、複数本のケーブルを帯状に束ねてなるフラットケーブルであって、複数本の前記ケーブルの夫々は、長手方向と短手方向の両方に沿って断続的に固着されているフラットケーブルである。
【０００７】
複数本の前記ケーブルの夫々は、長手方向に沿って等間隔に断続的に固着されていると共に短手方向に沿って数本飛ばしに断続的に固着されていることが望ましい。
【０００８】
複数本の前記ケーブルの夫々は、部分的に短手方向に沿って全部の前記ケーブルが固着されていないことが望ましい。
【発明の効果】
【０００９】
本発明によれば、従来よりも左右方向の屈曲を容易に行えるフラットケーブルを提供することができる。
【図面の簡単な説明】
【００１０】
【図１】本発明のフラットケーブルの固着パターンを示す平面図である。
【図２】本発明のフラットケーブルの構造を示すＡ−Ａ線断面図である。
【図３】本発明のフラットケーブルの固着パターンを示す平面図である。
【図４】本発明のフラットケーブルの固着パターンを示す平面図である。
【図５】従来のフラットケーブルの構造を示す断面図である。
【発明を実施するための形態】
【００１１】
以下、本発明の実施の形態を添付図面に順って説明する。
【００１２】
［第１の実施の形態］
図１及び２に示す通り、本発明の実施の形態に係るフラットケーブル１００は、複数本のケーブル１０１を帯状に束ねて形成されている。ケーブル１０１は、例えば、４本の対撚線１０２を撚り合わせてなる撚線１０３と、撚線１０３の外周にポリエチレン樹脂を被覆してなるシース１０４と、を有している。対撚線１０２は、例えば、２本の心線１０５を撚り合わせて形成されている。心線１０５は、例えば、複数本の銅素線を撚り合わせてなる導体１０６と、導体１０６の外周にポリエチレン樹脂を被覆してなる絶縁体１０７と、を有している。特に、複数本のケーブル１０１の夫々は、長手方向と短手方向の両方に沿って固着部１０８と非固着部１０９とを介して断続的に固着されている。
【００１３】
固着部１０８と非固着部１０９は、千鳥配列に配置されている。即ち、固着部１０８と非固着部１０９は、フラットケーブル１００の長手方向に沿って所定の距離（例えば、１０ｃｍ）毎に交互に配置されていると共にフラットケーブル１００の短手方向に沿って所定の本数（例えば、１本）毎に交互に配置されている。
【００１４】
フラットケーブル１００を製造する際は、例えば、第１段階として、複数本のケーブル１０１を並列に配置すると共に長手方向に沿って融着部又は接着部を介して連続的に融着又は接着し、第２段階として、長手方向と短手方向の両方に沿って融着部又は接着部に断続的に切り込みを入れることにより、長手方向と短手方向の両方に沿って固着部１０８と非固着部１０９とを交互に配置する。
【００１５】
フラットケーブル１００では、複数本のケーブル１０１の夫々が長手方向と短手方向の両方に沿って固着部１０８と非固着部１０９とを介して断続的に固着されているため、複数本のケーブル１０１の夫々が相互に硬く一体化されていない。
【００１６】
従って、フラットケーブル１００によれば、複数本のケーブル１０１の夫々があたかも１本毎に独立しているかのように柔軟性に優れており、左右方向の屈曲時に複数本のケーブル１０１の夫々が相互に屈曲を阻害し難く、左右方向の屈曲を上下方向の屈曲と同様に容易に行える。
【００１７】
［第２の実施の形態］
図３に示す通り、本発明の実施の形態に係るフラットケーブル２００は、フラットケーブル１００と同様に、複数本のケーブル１０１を帯状に束ねて形成されている。但し、複数本のケーブル１０１の夫々は、部分的に短手方向に沿って全部のケーブル１０１が固着されておらず、フラットケーブル２００は、フラットケーブル１００と比較すると、フラットケーブル２００の短手方向に沿って１つの固着部１０８も存在しない非固着領域２０１を備えている点で相違している。
【００１８】
フラットケーブル２００では、非固着領域２０１を備えているため、フラットケーブル１００よりも更に柔軟性に優れており、左右方向の屈曲時に複数本のケーブル１０１の夫々が相互に屈曲を阻害し難く、フラットケーブル１００以上に、左右方向の屈曲を上下方向の屈曲と同様に容易に行える。
【００１９】
［第３の実施の形態］
図４に示す通り、本発明の実施の形態に係るフラットケーブル３００は、フラットケーブル１００と同様に、複数本のケーブル１０１を帯状に束ねて形成されているものの、フラットケーブル１００と比較すると、固着部１０８と非固着部１０９とがフラットケーブル３００の短手方向に沿って始点と終点とを所定の距離（例えば、５ｃｍ）だけ違えて斜めに配置されている点で相違している。
【００２０】
フラットケーブル３００では、フラットケーブル１００と同様に、複数本のケーブル１０１の夫々が長手方向と短手方向の両方に沿って固着部１０８と非固着部１０９とを介して断続的に固着されているため、複数本のケーブル１０１の夫々が相互に硬く一体化されていない。
【００２１】
従って、フラットケーブル３００によれば、フラットケーブル１００と同様に、複数本のケーブル１０１の夫々があたかも１本毎に独立しているかのように柔軟性に優れており、左右方向の屈曲時に複数本のケーブル１０１の夫々が相互に屈曲を阻害し難く、左右方向の屈曲を上下方向の屈曲と同様に容易に行える。
【００２２】
なお、フラットケーブル１００，２００，３００の何れでも、複数本のケーブル１０１の夫々は、長手方向に沿って等間隔に断続的に固着されていると共に短手方向に沿って数本飛ばしに断続的に固着されており、長手方向の全体に亘って柔軟性を略均一化することができるため、フラットケーブル１００，２００，３００の何れの位置でも、左右方向の屈曲を上下方向の屈曲と同様に容易に行える。
【００２３】
以上の通り、本発明によれば、従来よりも左右方向の屈曲を容易に行えるフラットケーブル１００，２００，３００を提供することができる。なお、フラットケーブル１００，２００，３００は、従来よりも柔軟性に優れており、上下方向の屈曲と左右方向の屈曲のみならず、全方向の屈曲を従来よりも容易に行える。
【符号の説明】
【００２４】
１００，２００，３００  フラットケーブル
１０１  ケーブル
１０２  対撚線
１０３  撚線
１０４  シース
１０５  心線
１０６  導体
１０７  絶縁体
１０８  固着部
１０９  非固着部
２０１  非固着領域
【図１】
2018129250.tif 000003
【図２】
2018129250.tif 000004
【図３】
2018129250.tif 000005
【図４】
2018129250.tif 000006
【図５】
2018129250.tif 000007